(57)【要約】【課題】従来のロウソクや電球を用いた芳香器では、ロウソクや電球の熱による外郭内の雰囲気温度で加熱する為、温度を上げると本体の外郭温度が上昇してしまうという問題があった。外郭の温度を抑えて、煎茶や紅茶などをそこから香気成分を発生させるに十分な温度まで加熱出来る芳香器を提供する。【解決手段】本発明の芳香器は、被加熱材料を入れる容器と、前記容器の下方に配置する加熱板と、前記加熱板を加熱するヒータと、前記加熱板及び前記ヒータを保持する保持部材と、外郭側面を形成するボデーと、前記保持部材の上部に嵌合する穴を有し前記ボデー上部を覆う蓋カバーとを備える。【選択図】　　　　図１
2004113339.tif 000002
【特許請求の範囲】
【請求項１】
被加熱材料を入れる容器と、前記容器の下方に配置する加熱板と、前記加熱板を加熱するヒータと、前記加熱板に対向する開口部を有するとともに前記加熱板及び前記ヒータを保持する保持部材と、外郭側面を形成するボデーと、前記保持部材の開口より大なる開口部を有する蓋カバーとを備え、前記保持部材の前記開口部の周囲に形成した開口周部の上部を前記蓋カバーの前記開口部内側に嵌合させ、外部上面は少なくとも前記保持部材の開口周部、前記加熱板、及び前記蓋カバーで形成されてなる芳香器。
【請求項２】
被加熱材料を入れる容器と、
前記容器の下方に配置する加熱板と、
前記加熱板を加熱するヒータと、
前記加熱板及び前記ヒータを保持し、前記加熱板からの熱を接触により又は空気層を介して前記容器に伝えるための開口部を有し、前記加熱板よりも低い熱伝導率の材料で形成された保持部材と、
外郭側面を形成するボデーと、
前記加熱板からの熱を接触により又は空気層を介して前記容器に伝えるための開口部を有し、前記保持部材に取り付けられ、前記保持部材の少なくとも外周部及び前記ボデーの上部を覆う、前記加熱板よりも低い熱伝導率の材料で形成された蓋カバーと、
を備えたことを特徴とする芳香器。
【請求項３】
前記蓋カバーと前記保持部材とはそれぞれの外周近傍で固定部材により相互に接続されていることを特徴とする請求項１又は請求項２に記載の芳香器。
【請求項４】
前記保持部材の前記開口部の開口周部が、前記蓋カバーの開口部を通じて外部に露出していることを特徴とする請求項１又は請求項２に記載の芳香器。
【請求項５】
保持部材の開口部の周部と、蓋カバーの開口部の嵌合部における段差を略零としたことを特徴とする請求項１に記載の芳香器。
【請求項６】
前記保持部材は、前記開口周部と前記蓋カバーとの嵌合部の隙間から侵入する液の液溜まりを設けたことを特徴とする請求項４に記載の芳香器。
【請求項７】
前記蓋カバーの側面に又は前記ボデーと前記蓋カバーの側面との接触部分近傍で前記蓋カバーと前記ボデー間に隙間を設けて空気口としたことを特徴とする請求項１又は請求項２に記載の芳香器。
【請求項８】
前記保持部材は上カバーとヒータカバーとを有し、
前記ヒータカバーは前記ヒータを保持し、前記上カバーは前記ヒータを覆っており、
前記蓋カバーは、前記空気口と、前記上カバーと前記ヒータカバーの接触面と、の間の空間を仕切り、前記上カバーと前記ヒータカバーの接触面より下まで形成された壁を有することを特徴とする請求項７に記載の芳香器。
【発明の詳細な説明】
【０００１】
【発明の属する技術分野】
本発明は、熱源を備えた芳香器に関するものである。
【０００２】
【従来の技術】
従来、芳香器には熱源に芳香用材料を載せる皿部と、皿部の下方に設けたヒータを具備する香炉用具があった。
【０００３】
【特許文献１】
登実第３０３７６２５号公報
【０００４】
【発明が解決しようとする課題】
しかし、従来のタイプは、放熱板の温度を上げると本体の外郭温度が上昇してしまうという問題があった。
上述の問題を解決し、外郭の温度上昇を抑えて、煎茶や紅茶などをそこから香気成分を発生させるに十分な温度まで加熱出来る芳香器を提供することを課題とする。
【０００５】
【課題を解決するための手段】
本発明は、上記のような課題を解決するものであり、被加熱材料を入れる容器と、前記容器の下方に配置する加熱板と、前記加熱板を加熱するヒータと、外郭側面を形成するボデーと、前記加熱板を保持する保持部材と、前記保持部材の上部に嵌合する穴を有し前記ボデー上部を覆う蓋カバーとを備えた芳香器とするものである。
【０００６】
【発明の実施の形態】
請求項１に記載の発明は、被加熱材料を入れる容器と、前記容器の下方に配置する加熱板と、前記加熱板を加熱するヒータと、前記加熱板に対向する開口部を有するとともに前記加熱板及び前記ヒータを保持する保持部材と、外郭側面を形成するボデーと、前記保持部材の開口より大なる開口部を有する蓋カバーとを備え、前記保持部材の前記開口部の周囲に形成した開口周部の上部を前記蓋カバーの前記開口部内側に嵌合させ、外郭上面は少なくとも前記保持部材の開口周部、前記加熱板、及び前記蓋カバーで形成されてなる芳香器である。これにより、ヒータを保持する保持部材を耐熱性の高いかつ熱伝導率の低い材料で構成して、ヒータの保持構成の熱的信頼性を高めることができる。
また、ヒータ及び加熱板は高温となるが、保持部材の開口部周囲に形成した開口周部が断熱部材として作用するので、その周部に嵌合して外郭上面を形成する蓋カバーの温度上昇が抑制される。従って、蓋カバーを耐熱性の低い材料で構成することができ、外郭部品として色彩の自由度が高くなり見栄えが良くなる。また、保持部材の開口周部と蓋カバーの開口部の嵌合により、外郭の上面部分及び保持部材を組み立てる際の位置決めとすることができるので組み立て性を向上することができる。
【０００７】
請求項２に記載の発明は、被加熱材料を入れる容器と、前記容器の下方に配置する加熱板と、前記加熱板を加熱するヒータと、前記加熱板及び前記ヒータを保持し、前記加熱板からの熱を接触により又は空気層を介して前記容器に伝えるための開口部を有し、前記加熱板よりも低い熱伝導率の材料で形成された保持部材と、外郭側面を形成するボデーと、前記加熱板からの熱を接触により又は空気層を介して前記容器に伝えるための開口部を有し、前記保持部材に取り付けられ、前記保持部材の少なくとも外周部及び前記ボデーの上部を覆う、前記加熱板よりも低い熱伝導率の材料で形成された蓋カバーと、を備えたことを特徴とする芳香器である。開口部を通じてヒータからの熱を効率良く容器に伝えることが出来る。ヒータからの熱を非熱伝導性の保持部材で遮断し、ヒータから保持部材に伝わった熱を更に非熱伝導性の蓋カバーで遮断する。ヒータからの熱は外郭に達するまで２重に遮断される故に、ユーザが芳香器の外郭（蓋カバー及びボデー）に触ってもそれ程熱くない。本発明は、外郭の温度上昇を抑えて、煎茶や紅茶などをそこから香気成分を発生させるに十分な温度まで加熱出来る芳香器を実現する。
【０００８】
請求項３に記載の発明は、前記蓋カバーと前記保持部材とはそれぞれの外周近傍で相互に接続されていることを特徴とする請求項２に記載の芳香器である。これにより、保持部材の開口周部と蓋カバーの開口部の嵌合状態が固定される。保持部材の中心近傍に載置されたヒータにより保持部材の内周部の温度は高くなるが、保持部材の熱抵抗により保持部材の外周部の温度は内周部より下がる。保持部材から蓋カバーへのヒータ熱の伝導は、両者が固定部材を用いないで例えば嵌合接触している内周近傍で小さく（接触部の熱抵抗が高く）、両者が固定部材で接続されている外周近傍で相対的に大きい（接触部の熱抵抗が相対的に低い）。即ち、保持部材の温度が高い内周部では保持部材から蓋カバーに熱が伝わりにくく、相対的に熱が伝わり易い外周部では保持部材の温度が下がっている。本発明は、ヒータから外郭（蓋カバーを含む。）までの熱伝導経路を出来るだけ長くすることにより、更に外郭の温度上昇を抑えることが出来る。
【０００９】
請求項４に記載の発明は、前記保持部材の前記開口部の開口周部が、前記蓋カバーの開口部を通じて外部に露出していることを特徴とする請求項１又は請求項２に記載の芳香器である。本発明により、保持部材のヒータと接する部分近傍の放熱効果を高め、保持部材の温度上昇が抑えられる。これにより、更に外郭の温度上昇を抑えることが出来る。
【００１０】
請求項５に記載の発明は、保持部材の開口部の周部と、蓋カバーの開口部の嵌合部における段差を略零としたことにより、外郭表面に段差が無いので、見栄えがよくゴミが溜まりにくく、溜まった場合でも掃除がしやすい。
【００１１】
請求項６に記載の発明は、前記保持部材は、前記開口周部と前記蓋カバーとの嵌合部の隙間から侵入する液の液溜まりを設けたことを特徴とする請求項４に記載の芳香器である。ヒータからの外郭への熱伝導を悪くするために設けた隙間から液体（例えばユーザがこぼした水）が浸入する恐れがある。侵入した液が例えば回路基板等に浸入すると、回路の誤動作又は故障を引き起こす可能性がある。本発明は、液溜りを設けることにより侵入した液を一時的に溜めて、液体による本体への悪影響を防止することが可能となる。
【００１２】
請求項７に記載の発明は、前記蓋カバーの側面に又は前記ボデーと前記蓋カバーの側面との接触部分近傍で前記蓋カバーと前記ボデー間に隙間を設けて空気口としたことを特徴とする請求項１又は請求項２に記載の芳香器である。本発明は、蓋カバーの内側に空気の流れを発生させることより蓋カバー及び保持部材の冷却効果を得る。これにより更に外郭の温度上昇を抑え、煎茶や紅茶などをそれから香気成分を発生させるに十分な温度まで加熱出来る芳香器を提供することが可能となる。
【００１３】
請求項８に記載の発明は、前記保持部材は上カバーとヒータカバーとを有し、前記ヒータカバーは前記ヒータを保持し、前記上カバーは前記ヒータを覆っており、前記蓋カバーは、前記空気口と、前記上カバーと前記ヒータカバーの接触面と、の間の空間を仕切り、前記上カバーと前記ヒータカバーの接触面より下まで形成された壁を有することを特徴とする請求項７に記載の芳香器である。空気口から浸入した空気の流れがヒータに達すると、ヒータからの熱を奪ってその後外郭を加熱する恐れがある。本発明は、空気口から浸入した空気が上カバーとヒータカバーの接触面を通ってヒータに達することを防止する。これにより、外郭の温度上昇を抑えることが出来ると共に、ヒータの熱が無駄に逃げることを防止できる。又、空気口より侵入する液が例えばヒータに浸入すること等の本体への悪影響を防止することが出来る。
【００１４】
【実施例】
以下、実施例の本発明の芳香器を説明する。
《実施例１》
図１〜３を用いて、本発明の実施例１の芳香器を説明する。図１は本発明の実施例１の芳香器を、その中心を通る垂直な面で切断した断面図である。図２は図１の一部を拡大した断面図である。図３は、ヒータユニットの下面図である。
１は、自己温度制御機能を持ったＰＴＣ（Ｐｏｓｉｔｉｖｅ　Ｔｅｍｐｅｒａｔｕｒｅ　Ｃｏｅｆｆｉｃｉｅｎｔ，正温度係数）ヒータで、キュリー温度が２６０℃の素子を用いたものである。ヒータ１上には伝導板Ａ２が設置されている。伝導板Ａ２は、高い耐熱性と高い熱伝導率とを有する材料（実施例ではアルミニウム）で作られている。伝導板Ａ２の上には加熱板３が設置されている。加熱板３は、ヒータ１からの熱を容器４に伝える役割を果たす。加熱板３からの放熱が大きくなりすぎると、被加熱物（実施例では茶葉等）の加熱温度が下がる。加熱板３は、高い耐熱性と、絶対値としては高い熱伝導率で相対的には伝導板Ａ２の材料の熱伝導率よりも低い熱伝導率の材料（実施例ではステンレス）を使用している。好ましくは加熱板３は更に耐錆性を有し、長期使用後も美しい外観を維持する。ヒータ１と伝導板Ａ２との間及び伝導板Ａ２と加熱板との間の両方の間にはコンパウンド（熱拡散材）を塗布（コンパウンドは図示せず）し、熱伝導を良くしている。
【００１５】
４は被加熱材料である煎茶等の茶葉を適量入れた容器であり、加熱板３に載置されている。容器４は平面形状が四角形状の収容部と収容部の周囲に配置された取っ手部５とを有している。容器４の収容部は高い耐熱性、高い熱伝導率及び高い耐錆性を有する材料（実施例ではステンレス）で作られている。容器４の取っ手部５は、高い耐熱性及び低い熱伝導率を有する材料（実施例では樹脂）で作られている。
６は、ヒータ１及び加熱板３を覆う保持部材であり、上から覆う上カバー６ａ（加熱板３からの熱を接触により又は空気層を介して容器４に伝えるための開口部を有する。）と下から覆うヒータカバー６ｂからなる。７は、加熱板３と上カバー６ａの間に設けたシリコン製ゴムのパッキングであり、加熱板３上に落ちた液体（コップからこぼれた水等）の芳香器の内部への侵入を防止している。パッキング７は、高い耐熱性と低い熱伝導率と所定の弾性を有する材料で作られる。
【００１６】
上カバー６ａ及びヒータカバー６ｂは、ヒータ１を覆う役割と芳香器の外郭である蓋カバー９の温度の上昇を防止する（ユーザが芳香器の外郭を触ってもそれほど熱くない様にする）役割を有する為、高い耐熱性と低い熱伝導率を有する材料（実施例ではＰＰＳ（ポリフェニレンスルフィド）樹脂）で作られている。ＰＰＳ樹脂の色は高温による変色を防止する為、濃い色が望ましく、本実施例１では黒が用いられている。
【００１７】
９は、上カバー６ａの上部に嵌合する穴を有し、加熱板からの熱を接触により又は空気層を介して容器４に伝えるための開口部（保持部材６の開口より大なる開口部）を有する蓋カバーである。蓋カバー９は、低い熱伝導率を有する材料（例えばＰＥＴ（ポリエチレンテレフタレート）樹脂、ＰＢＴ（ポリブチレンテレフタレート）樹脂、又はＰＥＴ樹脂とＰＢＴ樹脂との混合物）で作られている。蓋カバー９と上カバー６ａとは外周部（実施例ではコーナー部）の４箇所で固定手段であるネジで止められている（図３のビス３１）。蓋カバー９と上カバー６ａとはそれぞれの内周近傍では相互に接触して嵌合部２９において嵌合している。
１０は保持部材６と蓋カバー９とで規定された空間である。
【００１８】
１１は、本体外郭を形成するボデーである。ボデー１１は、透明で低い熱伝導率を有する材料（実施例では樹脂）で作られている。蓋カバー９は、ボデー１１の上部開口を覆っている。ボデー１１と蓋カバー９の側面との接触部分近傍の蓋カバー９の端面の一部を切欠いて複数の空気口１９が設けられている。蓋カバー９の側面に複数の空気口を設けても良い。
ボデー１１の上方には外蓋ガード１２が設けられており、ボデー１１の下方には底部１３が設けられている。外蓋ガード１２は、低い熱伝導率を有する材料（例えばＰＥＴ樹脂、ＰＢＴ樹脂、又はＰＥＴ樹脂とＰＢＴ樹脂との混合物）で作られており、芳香を含む空気を流通させるための複数の空気口を有する。
【００１９】
１５は、ヒータバネ８とヒータ１間に設けた伝導板Ｂであり、ヒータ１の下面の均熱性を保っている。
上カバー６ａには、更に、下方に突出する４個の突起である固定板１４と、嵌合穴部２１とが設けられている。固定板１４は、伝導板Ｂ１５、ヒータ１及び伝導板Ａ２の水平方向の位置決めをしている。
８は、両端がそれぞれ伝導板Ｂ１５及びヒータカバー６ｂに当接された４個のコイル状のヒータバネである。ヒータバネ８の一端はヒータカバー６ｂに設けられた凹部に挿入されており、その取り付け位置がずれない。ヒータバネ８は、伝導板Ｂ１５、ヒータ１及び伝導板Ａ２を上方向に付勢し、加熱板３に押しつけている。ヒータバネ８及び加熱板３は、伝導板Ｂ１５、ヒータ１及び伝導板Ａ２の上下方向の位置決めをしている。
【００２０】
ヒータカバー６ｂに設けられた４個の脚１８が、上カバー６ａに設けられた４箇所の挿入穴１７に下から挿入され、回転されて、挿入穴１７から外れた位置に導かれ、上カバー６ａに保持されている。ヒータバネ８は、ヒータカバー６ｂの脚１８を下方向に付勢し、上カバー６ａに押しつけている。ヒータバネ８及び上カバー６ａは、ヒータカバー６ｂの上下方向の位置決めをしている。
伝導板Ｂ１５、ヒータ１、伝導板Ａ２、加熱板３、上カバー６ａ、ヒータカバー６ｂ、蓋カバー９等は、ヒータユニットを形成する。
【００２１】
支柱ユニットは、脚２２、支柱２３、支柱ボス２４を有する一体構造の樹脂成形品である。支柱ユニットに設けられた４個の脚２２が、上カバー６ａに設けられた４箇所の嵌合穴部２１の広幅部分に下から挿入され、回転されて嵌合穴部２１の狭幅部分に導かれ、上カバー６ａに保持される。ビス３１を用いて蓋カバー９を上カバー６ａに取り付けると、蓋カバー９に設けられた突起である回転ストッパ３２が、支柱ユニットの脚２２が嵌合穴部２１の狭幅部分から外れることを防止する。これにより、ヒータユニットと支柱ユニットとが一体に組み立てられる。この組立段階では、支柱ユニットの脚２２は嵌合穴部２１の狭幅部分内である程度動く。
底部１３は底部ボス２５を有する。本明細書においては、支柱ユニット及びボデー１１の下に位置する部分全体（ビス２６、回路基板２７、発光部２８を除く。）をまとめて底部１３と呼ぶ。底部１３は、発光部２８と、ヒータ１を駆動し発光部２８を点灯する回路基板２７と、ヒータユニット及び支柱ユニットとを保持する。
【００２２】
ヒータカバー６ｂと底部１３との間にボデー１１を挟み込んだ状態で、ビス２６で底部ボス２５と支柱ボス２４とを接続することにより、ヒータユニット及び支柱ユニットは底部１３に取り付けられる。
このようにして芳香器全体が組み立てられる。組み立てられた芳香器の外部上面は、保持部材６の開口周部、加熱板３及び蓋カバー９で形成されている。保持部材６の開口周部は、蓋カバー９の開口部を通じて外部に露出している。使用時には、更に外蓋ガード１２を上に載せる。
ヒータ１には、電極２０が取り付けられており、芳香器本体に設けられた電源スイッチをＯＮすることで電流がヒータ１に流れる。
【００２３】
このような構成の実施例１の芳香器の動作を説明する。適量の煎茶を入れた容器４を加熱板３に載置し、電源スイッチを入れることで、ヒータ１が加熱され、ヒータ１の熱が熱伝導率の良い伝導板Ａ２を介して金属製である加熱板３及び容器４の収容部に効率良く伝わり、煎茶からの香気成分が発生させる。香気成分を含む空気の流れは、外蓋ガード１２の複数の空気口を通じて、ユーザに達する。上カバー６ａの加熱板３上周辺（上カバー６ａの開口部の周辺部（開口周部））にあたる部分を蓋カバー９の開口部内側に嵌合させることで、ヒータ１の熱が本体内部で籠もらないようにしながら、蓋カバー９にて残りの上カバー６ａの部分を覆うことで、本体上部の人が手で触れる部分となる蓋カバー９の温度を下げることが出来きる。この為、本実施例１では光沢に優れるＰＥＴ樹脂、ＰＢＴ樹脂、又はＰＥＴ樹脂とＰＢＴ樹脂との混合物等を蓋カバー９として使用することが出来ている。
【００２４】
さらに、蓋カバー９及び本体内部の温度を下げることで、外郭であるボデー１１の温度上昇も抑えられる。さらに、本実施例１のようにヒータ１を上カバー６ａとヒータカバー６ｂにより覆うことで、外郭内の雰囲気温度が抑えられ、外郭であるボデーと前記ボデー上部を覆う蓋カバー９の温度を下げることが出来る。また、蓋カバー９と保持部材６間に空間１０を設けたことで、保持部材６から蓋カバー９への伝導熱を小さく出来、外郭の温度上昇が抑えられる。
尚、本実施例１ではヒータ１にはＰＴＣヒータを使用したが、本実施例１のような構成であればどのようなヒータでも煎茶や紅茶などから香気成分を発生させるに十分な温度まで加熱出来、外郭の温度上昇を抑えられる。
【００２５】
また、ヒータ１の熱は、ヒータバネ８を伝わりヒータカバー６ｂに伝わるが、ヒータバネ８にコイル状バネを使用しているので、ヒータカバー６ｂへの熱伝導が抑えられる。ヒータ１を付勢する目的のみであれば板バネなど他のバネを使っても同じ効果を得ることは可能である。
尚、実施例１では、ネジを使用せずに上カバー６ａとヒータカバー６ｂを嵌合させているが、嵌合後にさらにネジにて締め付けてもよいし、挿入及び回動せずにネジのみで締め付けても組み立てることは可能である。
【００２６】
《実施例２》
図４を用いて、本発明の実施例２の芳香器を説明する。図４は本発明の実施例２の芳香器を、その中心を通る垂直な面で切断した断面図である。
４１は、加熱板を上から覆う上カバーである。４２は、加熱板を下から覆うヒータカバーである。４３は、上カバーに嵌合する蓋カバーであり、蓋カバー４３の側部端中央部に空気口４４と、空気口４４の内部にあたる箇所（空気口４４と、上カバー４１とヒータカバー４２の接触面と、の間の空間を仕切る位置）に壁４３ａが設けられている。壁４３ａは上カバー４１とヒータカバー４２の接触面（実施例では嵌合面）より下まで形成されてる。空気口は、蓋カバー４３の側面に又はボデー１１と蓋カバー４３の側面との接触部分に設ける。
４５は、底板であり、空気口４６を有している。上カバー４１には、上カバー４１と蓋カバー４３との隙間から侵入した水などの液が溜められる液溜まり４１ａが設けられている。それ以外の点において、実施例２の芳香器は、実施例１と同様である。
【００２７】
実施例２の芳香器は、実施例１とほぼ同様の動作を行う。実施例２の芳香器は、空気口４４より、本体内部にある空気の熱を逃がすことが可能となり、外郭であるボデー１１の温度を下げることが出来る。
また、空気口より液体（例えば水）が侵入した場合、浸入した液体は、蓋カバー４３に設けられた壁４３ａに当たり、下方に落下する。壁４３ａの下端は上カバー４１とヒータカバー４２との接触面より下まである故に、浸入した液体が壁４３ａの下端から勢い良く水平に飛んだとしても、その液体が上カバー４１とヒータカバー４２の隙間を通ってヒータ１に達する恐れはない。壁４３ａにより、浸入した液体がヒータ等の本体内部部品に悪影響を及ぼすことを防止出来る。
【００２８】
上カバー４１と蓋カバー４３間の嵌合部２９において両者を相互に接触させ隙間を僅かなものとすれば、誤って水が隙間（嵌合部）２９の部分に注がれたとしてもその隙間から内部に侵入する水の量は少ない（全く水が入らないようにすることは困難である。）。上カバー４１に設けた液溜まり４１ａが内部に入った水を一次的に溜めることができる。溜められた水は、使用中や放置中に徐々に蒸発させることが出来る。これにより、本体への悪影響（例えば水が回路基板２７に達して、誤動作又は故障を引き起こすこと）を防止できる。液溜まり４１ａを設ける効果は大きい。また嵌合部２９の両側の段差を略零とするとさらに水が溜まりにくくなり、ゴミも集積しにくくなる。
【００２９】
【発明の効果】
請求項１〜４、７に記載の発明によれば、外郭の温度上昇を抑えて、煎茶や紅茶などをそこから香気成分を発生させるに十分な温度まで加熱出来る芳香器を提供することが可能となる。
請求項５または６に記載の発明によれば、上カバーと蓋カバーとの間の隙間から液が侵入しにくくすることあるいは侵入した液によるヒータなどの本体内部部品への悪影響を防止することが可能となる。
請求項８に記載の発明によれば、蓋カバー等に設けられた空気口から侵入した液による本体への悪影響を防止することが可能となる。
【図面の簡単な説明】
【図１】本発明の実施例１の芳香器の断面図
【図２】本発明の実施例１の芳香器の拡大された部分断面図
【図３】本発明の実施例１の芳香器のヒータユニットの下面図
【図４】本発明の実施例２の芳香器の断面図
【符号の説明】
１　　　ヒータ
２　　　伝導板Ａ
３　　　加熱板
４　　　容器
５　　　取っ手部
６　　　保持部材
６ａ、４１　上カバー（保持部材の開口周部）
６ｂ、４２　ヒータカバー
７　　　パッキング
８　　　ヒータバネ
９、４３　　　蓋カバー
１０　　　空間
１１　　　ボデー
１２　　　外蓋ガード
１３、４５　　　底部
１４　　　固定板
１５　　　伝導板Ｂ
１７　　　挿入穴
１８　　　脚
１９、４４、４６　　　空気口
２０　　　電極
２１　　　嵌合穴部
２２　　　脚
２３　　　支柱
２４　　　支柱ボス
２５　　　底部ボス
２６、３１　　　ビス
２７　　　回路基板
２８　　　発光部
２９　　　隙間
３２　　　回転ストッパ
４１ａ　　液溜まり
４３ａ　　壁
【図１】
2004113339.tif 000003
【図２】
2004113339.tif 000004
【図３】
2004113339.tif 000005
【図４】
2004113339.tif 000006